(57)【要約】  本発明は、少なくとも１つの医療走査装置に関する前記活動データを追跡記録するためのロギングシステムであり、活動データを収集するための入力手段、データ処理器、前記活動データを記憶するための記憶手段及び前記収集した活動データを記憶するための表示手段を持つロギングシステムに関する。前記表示手段は、前記収集した活動データをグラフに示すように構成され、前記グラフは、各表示要素は既定の時間枠を示し、隣接する表示要素は連続する時間枠を示している複数の隣接する表示要素を有し、全ての表示要素は合わさって少なくとも前記医療走査装置の完全な１運動サイクルを示し、使用時、経過した時間枠に関する各表示要素は、１つのマーク又は一連のマークにより完全にカバーされ、各マークはある既定の活動及び前記活動の期間を示し、前記マークの各々は、前記入力手段を用いて収集された前記活動データに依存して選択されている。
2011508287.tif 000002
【特許請求の範囲】
【請求項１】
少なくとも１つの医療走査装置に関する活動データを追跡記録するためのロギングシステムであり、前記ロギングシステムは、前記活動データを収集するための入力手段、データ処理器、前記活動データを記憶するための記憶手段及び前記収集した活動データを記憶するための表示手段を持ち、前記表示手段は前記収集した活動データをグラフに示すように構成されるロギングシステムにおいて、
前記グラフは、各表示要素は既定の時間枠を示し、隣接する表示要素は連続する表示要素を示している複数の隣接する表示要素を有し、全ての表示要素は合わさって少なくとも前記医療走査装置の完全な１運転サイクルを示すこと、並びに
使用時、経過した時間枠に関する各表示要素は、１つのマーク又は一連のマークにより完全にカバーされ、各マークは、ある既定の活動及び前記活動の期間を示し、前記マークの各々は、前記入力手段を用いて収集された前記活動データに依存して選択されていること
を特徴とするロギングシステム。
【請求項２】
各マークは２つの特徴要素を有し、第１の特徴要素は前記活動に対する特徴であり、第２の特徴要素は前記活動の期間に対する特徴である請求項１に記載のロギングシステム。
【請求項３】
前記第１の特徴要素は既定の色又はグレイレベルである請求項２に記載のロギングシステム。
【請求項４】
前記第２の特徴要素は、前記マークの大きさであり、好ましくは前記表示要素がカバーする領域の一部であり、前記一部によりカバーされる前記領域は、前記表示要素によりカバーされる完全な時間枠に対する前記関連する活動の期間の比に対応している請求項２又は３に記載のロギングシステム。
【請求項５】
前記表示要素は棒である請求項１乃至４の何れか一項に記載のロギングシステム。
【請求項６】
各棒は１時間を示す請求項５に記載のロギングシステム。
【請求項７】
前記少なくとも１つの医療走査装置は、インターネットを介して前記入力手段に接続される請求項１乃至６の何れか一項に記載のロギングシステム。
【請求項８】
前記少なくとも１つの医療走査装置の近く又は前記装置に置かれる他の表示手段が設けられ、前記他の表示手段は、請求項１乃至７の何れか一項に記載の前記医療走査装置の前記収集した活動データを示すように構成されるロギングシステム。
【請求項９】
活動データを収集するステップ、前記活動データを処理及び記憶するステップ並びに前記活動データをグラフに表示するステップを有する、少なくとも１つの医療走査装置に関する前記活動データを追跡記録する方法において、
前記グラフは、各表示要素は既定の時間枠を示し、隣接する表示要素は連続する時間枠を示している複数の隣接する表示要素を有し、全ての表示要素は合わさって少なくとも前記医療走査装置の完全な１運動サイクルを示すこと、並びに
各表示要素は、１つのマーク又は一連のマークにより完全にカバーされ、各マークはある既定の活動及び前記活動の期間を示し、前記マークの各々は、前記収集した活動データに依存して選択されていること
を特徴とする方法。
【請求項１０】
活動データを収集する命令、前記活動データを処理及び記憶する命令並びに前記活動データをグラフに表示する命令を有する、少なくとも１つの医療走査装置に関する前記活動データを追跡記録するソフトウェアにおいて、
前記グラフは、各表示要素は既定の時間枠を示し、隣接する表示要素は連続する時間枠を示している複数の隣接する表示要素を有し、全ての表示要素は合わさって少なくとも前記医療走査装置の完全な１運動サイクルを示すこと、並びに
各表示要素は、１つのマーク又は一連のマークにより完全にカバーされ、各マークはある既定の活動及び前記活動の期間を示し、前記マークの各々は、前記収集した活動データに依存して選択されていること
を特徴とするソフトウェア。
【発明の詳細な説明】
【技術分野】
【０００１】
本発明は、少なくとも１つの医療走査装置に関する活動データを追跡記録する方法及び装置であり、この方法及び装置は、前記活動データを収集するための入力手段、データ処理器、前記活動データを記憶するための記憶手段及び前記収集した活動データを記憶するための表示手段を持ち、前記表示手段は、前記収集した活動データをグラフに示すように構成される方法及び装置に関する。
【背景技術】
【０００２】
現実は、上記医療走査装置、例えばＭＲＩ走査システム、ＣＴ走査システム及び医療分野に用いられる他の撮像システムの利用を高める及び増大させる必要があることを示している。
【発明の概要】
【発明が解決しようとする課題】
【０００３】
上記撮像システムは、患者のケア及び診断の質を犠牲にすることなく、できる限り効率的に利用されなければならない優良な投資に関わっている。それと同時に、休止期間を制限すること、及び前記医療走査装置を運転しているスタッフが投資に対する最善の報酬を保証するためにできる限り効率的に全ての診断動作を行う能力があるだけでなく、十分に訓練されていることも保障することが必須である。
【０００４】
本発明は、これら目的を達成することを可能にする方法及びロギングシステムを提供することを目的とする。
【課題を解決するための手段】
【０００５】
本発明によれば、少なくとも１つの走査装置に関する活動データを追跡記録するためのロギングシステム及び方法はこれにより、添付される請求項の１つ以上に従って提案される。
【０００６】
本発明の第１の態様において、前記ロギングシステムは、表示手段に示されるグラフは、各表示要素は既定の時間枠を示し、隣接する表示要素は連続する時間枠を示している複数の隣接する表示要素を有し、全ての表示要素は合わさって少なくとも前記医療走査装置の完全な１運転サイクルを示すこと、並びに使用時、経過した時間枠に関する各表示要素は、１つのマーク又は一連のマークにより完全にカバーされ、各マークはある既定の活動及びその活動の期間を示し、前記マークの各々は、入力手段を用いて収集された活動データに依存して選択されていることを特徴する。
【０００７】
このようにして、前記グラフは、前記医療走査装置に関するワークフローの効率に関して、すぐに理解できる情報を提供し、このグラフから改善が達成可能であるところもすぐに分かる。
【０００８】
前記グラフの解釈の容易さを支援するために、各マークは２つの特徴要素を有し、第１の特徴要素は活動に対する特徴であり、第２の特徴要素は活動の期間に対する特徴である。
【０００９】
本発明の目的は、前記第１の特徴要素は既定の色又はグレイレベルであり、前記第２の特徴要素はマークの大きさ、好ましくは表示要素がカバーしている領域の一部であるとき、最もうまく達成され、これにより、前記マークによりカバーされる表面領域は、前記表示要素によりカバーされる完全な時間枠に対する関連する活動の期間の比に対応しているように見える。
【００１０】
前記グラフを実現する非常に効果的な方法は、前記表示要素を棒（バー）として配することである。好ましくは、各棒が１時間を示す。このようにして、１日の作業時間は、互いに隣同士、連続して配されることができ、１日の全２４時間が１つのグラフに示されることができる。
【００１１】
本発明のロギングシステム及び方法はさらに好ましくは、少なくとも１つの走査装置がインターネットを介して入力手段に接続されるように配される。この施策により、専用のロギングシステムをありとあらゆる医療走査装置の地点に置かしてもらう必要なく、世界中に分布している一連の医療走査装置の活動データを集中的に収集することができる。
【００１２】
特に、前記ロギングシステムが中央に置かれたこの後者の状況において、少なくとも１つの医療走査装置が収納されている場所に置かれる他の表示手段を利用すること、及び前記他の表示手段は、上述したようなやり方で前記医療走査装置の収集した活動データを示すように構成されることに有利である。
【００１３】
上述したように、本発明は、少なくとも１つの医療走査装置に関する活動データを追跡記録するための方法及びロギングシステムの両方に関する。
【００１４】
しかしながら、本発明は、上述したような本発明のロギングシステムにおいて動作する、この方法を実行するソフトウェアを実施することにより、このソフトウェアにおいても具現化される。
【００１５】
本発明の方法及びロギングシステムは、本発明の例示的な実施例を参照すると共に、図面を参照してさらに以下に説明される。
【図面の簡単な説明】
【００１６】
【図１】図１は、分散型の医療走査装置の活動データを追跡記録するための本発明のロギングシステムである。
【図２】図２は、走査装置に関する活動データを示すグラフの一般的な例である。
【図３Ａ】図３Ａは、医療走査装置の活動パターンを示す図２に示されるグラフの例である。
【図３Ｂ】図３Ｂは、医療走査装置の活動パターンを示す図２に示されるグラフの例である。
【図３Ｃ】図３Ｃは、医療走査装置の活動パターンを示す図２に示されるグラフの例である。
【発明を実施するための形態】
【００１７】
最初に図１を参照すると、少なくとも１つの本実施例では３つの走査装置２、３及び４に関する活動データを追跡記録するためのロギングシステム１が示されている。
【００１８】
前記医療走査装置２、３及び４の医療活動データを収集するために、前記ロギングシステム１は、データ交換ネットワーク５、例えばインターネットを用いて前記装置２、３及び４に接続される。このような構成において、一番目の国に前記ロギングシステム１を置く、二番目の国に医療走査装置２を置く、三番目の国に医療走査装置３を置く及び四番目の国に医療走査装置４を置くことが可能である。
【００１９】
情報ネットワーク５を介して前記医療走査装置２、３及び４からデータを収集するために、前記ロギングシステム１は入力手段６を具備する。このロギングシステム１はさらに、データ処理器７及び前記医療走査装置２、３及び４からの活動データを記憶及び抽出するための記憶手段８を具備する。さらに、前記医療走査装置２、３及び４に関する上記収集した活動データを示すための表示手段９が存在し、この表示手段９は前記収集した活動データをグラフに示すように構成される。
【００２０】
本発明の範囲内において、夫々の前記医療走査装置２、３及び４の近くに又はそれら装置に置かれる表示手段９を持つことも可能であり、この場合、上記表示手段２．９、３．９及び４．９の何れかに示されるグラフは、医療走査装置２、医療走査装置３又は医療走査装置４夫々に関する活動データを示すためのものである。このようにして、例えば前記医療走査装置２を用いて作業する運転チームの作業慣行に関する情報が医療走査装置３又は医療走査装置４を用いて従事する人間に利用可能である又はその反対となることが防止されてもよい。
【００２１】
前記他の表示手段２．９、３．９及び４．９は、中央に置かれる前記ロギングシステム１から情報ネットワーク５を介して情報が供給されることは言うまでもなく、これにより前記表示手段２．９、３．９及び４．９は、対応する前記医療走査装置２、３又は４のすぐ近くにある必要はなく、例えば関連する走査装置２、３又は４の効率的利用に対して責任がある職員の職場にある職員のコンピュータに直接接続される。
【００２２】
ここで図２を参照してみると、医療走査装置２、３及び４の利用の簡単なアクセス及び１つの表示で認識を可能にするやり方で、医療走査装置２、３、４の収集した活動データを表示するためのグラフ１０の例が示される。
【００２３】
この目的を達成するために、グラフ１０は、００、０１、０２、…、２０、２１、２２、２３と番号付けされた複数の隣接する表示要素を取り入れている。
【００２４】
これにより、各表示要素００、…、２３は、特に示されるこの事例では１時間である既定の時間枠を示す。例として、表示要素０８は、７：００に始まり、７：５９に終わる時間に関する。示されるような方法において、隣接する表示要素００、…、２３は、１時間の連続する時間枠を示し、全ての表示要素は合わさって、関連する医療走査装置２、３、４の完全な１運転サイクルを示す。この実施例において、前記表示要素は合わさって完全な２４時間を示す。しかし、前記表示要素を医療走査装置２、３、４が実際に使用される１日の時間だけを参照させるように選ばれることもできる。例えば、特定の日の５：００に始まり、２０：００に終わる。
【００２５】
グラフ１０は、１時間を示す各表示要素は、例えばグラフ１０に示される表示要素１３に関連する一連のマーク２５のような一連のマークにより分割されることを示す。前記マーク２５は、図１に示されるように入力手段６を用いて収集された活動データに依存して、各表示要素の一部として示され、グラフ１０が関係している前記関連する医療走査装置２、３、４に関する。
【００２６】
前記一連のマーク２５が各々のマークを示すので、例えばマーク２６、２７、２８及び２９の各々は２つの特徴要素を有し、第１の特徴要素は活動に対する特徴であり、第２の特徴要素は活動の期間に対する特徴である。
【００２７】
第１の特徴要素に関して、マーク２９と比べると、マーク２６、２７及び２８は黒色であり、マーク２９はグレイであるという点でマーク２６、２７及び２８と顕著な違いが存在している。前記関連するマークのこの第１の特徴要素は、前記関連する医療走査装置２、３、４の活動の種類に対する特徴である。黒色のマーク２６、２７、２８は、前記装置の走査活動に関する一方、グレイのマーク２９は後続する走査運動２８に先立つ準備期間に対応している。さらに、他の可能な活動又は非活動に対し異なるグレイレベル又は既定の色が利用されることができる。
【００２８】
前記活動の期間に対する特徴である第２の特徴は、前記一連のマーク２５の各マークに関する。この第２の特徴要素は、前記マーク２６、２７、２８、２９の大きさであり、好ましくは表示要素１３全体の領域の一部として示され、その一部の大きさは、表示要素によりカバーされる及び前記活動が生じている時間を示す完全な時間枠と比べて、前記マークにより示される前記関連する活動の期間の比に対応している。
【００２９】
図２は、前記表示要素００、…、２３が医療走査装置の利用を示す非常に効果的且つ直観的な方法であると思われる棒として形成されることを示す。
【００３０】
ここで図３を参照してみると、図２に示されるグラムから読み取られる医療走査装置の利用の比較例が示される。
【００３１】
図３ａは、１５名の患者が走査された１日の利用を示す。図３ｂは、３０名の患者が走査された１日の利用を示し、図３ｃは、６０名の患者が走査された１日の利用を示す。図３ａ、図３ｂ及び図３ｃ夫々に示されるこれらグラフの観察者に印象を与えるものは、示されるグラフが関連する医療走査装置２、３、４の利用に関し、非常に効果的でありすぐに理解できる明白な洞察(insight)をこの観察者に提供されることである。さらに、グラフはかなりの洞察を提供するので、改善の領域が簡単に特定可能である。
【００３２】
本発明により供給される前記方法及びロギングシステムを用いて、医療走査装置の利用について知らされるこの装置のユーザは、改善するのにとるべき施策をうまく決定することができることは言うまでもない。どの位の利用レベルが実現可能であるか及びこれらの高いレベルがどうやって達成できるかを学ぶために、上記ユーザに他の医療走査装置からの比較実施例を提供することも可能である。
【図１】
2011508287.tif 000003
【図２】
2011508287.tif 000004
【図３Ａ】
2011508287.tif 000005
【図３Ｂ】
2011508287.tif 000006
【図３Ｃ】
2011508287.tif 000007
【国際調査報告】
2011508287.tif 000008
2011508287.tif 000009
2011508287.tif 000010